(57)【要約】【課題】高さの調節が可能なラックを備え、制御ユニットの配置が９０°変更され得る複合システムを提供する。【解決手段】複合システムが、原稿を読み取るスキャナユニットと、前記スキャナユニットで読み取られた画像情報を記録媒体に印刷するプリンタユニットと、前記スキャナユニット及び前記プリンタユニットを制御する制御ユニットと、高さの調節が可能なラックを備え、前記制御ユニットは、その向きが９０°異なるように配置可能であるようにする。【選択図】図１
2009192972.tif 000002
【特許請求の範囲】
【請求項１】
原稿を読み取るスキャナユニットと、前記スキャナユニットで読み取られた画像情報を記
録媒体に印刷するプリンタユニットと、前記スキャナユニット及び前記プリンタユニット
を制御する制御ユニットと、高さの調節が可能なラックを備え、
前記制御ユニットは、その向きが９０°異なるように配置可能である、複合システム。
【請求項２】
前記制御ユニットの操作表示部の位相と９０°異なる位相の表示がなされる操作表示部が
、前記ラックに設けられている、請求項１に記載された複合システム。
【請求項３】
ケーブル接続開口部が前記ラックの背面及び側面にわたって設けられている、請求項１に
記載された複合システム。
【請求項４】
前記ラックに設けられている前記操作表示部が、前記ラックの高さ調節に伴い隠される、
請求項１〜３のいずれか１つに記載された複合システム。
【請求項５】
ボルト貫挿用穴が前記ラックに設けられている、請求項１〜３のいずれか１つに記載され
た複合システム。
【請求項６】
原稿を読み取るスキャナユニットと、前記スキャナユニットで読み取られた画像情報を記
録媒体に印刷するプリンタユニットと、前記スキャナユニット及び前記プリンタユニット
を制御する制御ユニットが配置され、
前記制御ユニットは、その向きが９０°異なるように配置可能であり、
その高さが調整される、複合システム用ラック。
【発明の詳細な説明】
【技術分野】
【０００１】
本発明は、原稿を読み取るスキャナユニットと、前記スキャナユニットで読み取られた
画像情報を記録媒体に印刷するプリンタユニットと、前記スキャナユニット及び前記プリ
ンタユニットを制御する制御ユニットと、高さの調節が可能なラックを備え、前記制御ユ
ニットの配置が９０°変更され得る複合システム及び当該複合システムで使用されるラッ
クに関する。
【背景技術】
【０００２】
従来、スキャナユニットで読み取られた原稿の画像情報を電気信号に変換し、プリンタ
ユニットで前記電気信号に基づいて露光手段により感光体に静電潜像を書き込むデジタル
信号方式の画像形成装置が知られている。スキャナユニット及びプリンタユニットが安価
な装置となるよう、これらは汎用化かつ量産化されている。これらの組み合わせの変更に
伴う信号処理等の制御の変更が、制御ユニットの変更のみで行われるよう、スキャナユニ
ット、プリンタユニット、制御ユニット及び支持台を備え、前記制御ユニットは、前記支
持台の背面に補強材として取り付けられる、又は、前記支持台の上面に支持台として取り
付けられる画像形成装置が検討された（例えば、特許文献１参照）。前記支持台の背面に
補強材として取り付けられていた前記制御ユニットが前記支持台の背面から取り外され、
前記制御ユニットが前記支持台の上面に支持台として取り付けられる場合、すなわち、前
記制御ユニットの配置が９０°変更される場合、前記プリンタユニットと前記プリンタユ
ニット上部の支持台の支持部の間に余分な空間が発生していた。前記プリンタユニットに
給紙カセットが増設される際、前記給紙カセットの増設は前記空間の不足のために制限さ
れる場合があった。これらの欠点の解消のためには、床面から前記支持部までの高さが異
なる新たな支持台の導入が必要とされた。
【特許文献１】特開２００４-１８４９８２号公報
【発明の開示】
【発明が解決しようとする課題】
【０００３】
本発明が解決しようとする課題は、高さの調節が可能なラックを備え、制御ユニットの
配置が９０°変更され得る複合システム及び当該複合システムで使用されるラックの提供
である。
【課題を解決するための手段】
【０００４】
本発明は、原稿を読み取るスキャナユニットと、前記スキャナユニットで読み取られた
画像情報を記録媒体に印刷するプリンタユニットと、前記スキャナユニット及び前記プリ
ンタユニットを制御する制御ユニットと、高さの調節が可能なラックを備え、前記制御ユ
ニットは、その向きが９０°異なるように配置可能な複合システムである。本発明の複合
システムが備える制御ユニットは、その向きが９０°異なるように配置可能であり、ラッ
クの高さは調節可能であるから、本発明の複合システムを構成するスキャナユニット、プ
リンタユニット及び制御ユニットのレイアウトの自由度が大きい。
【０００５】
本発明の好ましい実施態様では、前記制御ユニットの操作表示部の位相と９０°異なる
位相の表示がなされる操作表示部が、前記ラックに設けられている。本発明の複合システ
ムの操作に関する表示は、制御ユニットの配置に関わらず、使用者により認識されやすい
から、本発明の複合システムの使用者による誤操作は起きにくい。
【０００６】
本発明の別の好ましい実施態様では、前記ラックに設けられている前記操作表示部が、
前記ラックの高さ調節に伴い隠される。本発明の複合システムの操作に関する不必要な表
示は隠されるから、本発明の複合システムの使用者による誤操作は起きにくい。
【０００７】
本発明の別の好ましい実施態様では、ケーブル接続開口部が前記ラックの背面及び側面
にわたって設けられている。本発明の複合システムのケーブルに関する接続は、ラックの
背面に向かわずラックの側面から目視されるから、使用者は容易に接続できる。
【０００８】
本発明の別の好ましい実施態様では、ボルト貫挿用穴が前記ラックに設けられている。
本発明の複合システムが備えるラックの高さは、ラックに設けられている穴に貫挿される
ボルトの貫挿位置の変更により、容易に調節される。
【０００９】
本発明は、原稿を読み取るスキャナユニットと、前記スキャナユニットで読み取られた
画像情報を記録媒体に印刷するプリンタユニットと、前記スキャナユニット及び前記プリ
ンタユニットを制御する制御ユニットが配置され、前記制御ユニットは、その向きが９０
°異なるように配置可能であり、その高さが調整される、複合システム用ラックである。
本発明の複合システム用ラックは、当該ラックに設けられているスキャナユニット、プリ
ンタユニット及び制御ユニットのレイアウトの自由度を大きくする。
【発明を実施するための最良の形態】
【００１０】
以下、図面により本発明を実施するための最良の形態について説明する。
図１は、本発明の複合システム１の１実施形態を示す正面図である。ラック３の第１脚
部３１は、ラック３の第２脚部３２を覆うように構成されている。ボルト貫挿用穴１５が
第１脚部に設けられて、下部ボルト貫挿用穴１４が第２脚部３２の下部に設けられており
、ボルト１０が第１脚部のボルト用穴１５及び第２脚部３２の下部ボルト貫挿用穴１４に
貫挿され、第１脚部３１及び第２脚部３２が固定される。電源スイッチ等の制御ユニット
操作部の状態を示す制御ユニット操作表示部６が設けられた制御ユニット５が、ラック３
の支持台３３の上に設置され、スキャナユニット２が制御ユニット５の上に設置されてい
る。プリンタユニット４がラック３の支持台３３の下部に位置するよう床面上に設置され
ている。制御ユニット操作部は、図１ではシーソースイッチとして示されているが、タッ
チパネル等の他の形態であり得る。
【００１１】
図２は、本発明の複合システム１の別の実施形態を示す正面図である。プリンタユニッ
ト４の給紙カセット４１及び４２がプリンタユニット４の下部に増設され、床面からラッ
クの支持部３３の下面までの距離Ｙ’が、図１の状態における床面からラックの支持部３
３の下面までの距離Ｙより大きくされる（Ｙ’＞Ｙ）必要がある。そこで、ボルト１０が
、下部ボルト貫挿用穴１４よりも上に設けられた第２脚部３２の上部ボルト貫挿用穴及び
第１脚部のボルト用穴１５に貫挿され、第１脚部３１及び第２脚部３２が固定される。制
御ユニット５は、図１で示される配置から９０°異なる向きでプリンタユニット４の横の
図２に点線で示される位置に配置されている。距離Ｙ’は制御ユニット５の高さＸより大
きい（Ｙ’＞Ｘ）。第１脚部３１が上に移動されると、第２脚部３２に設けられたラック
操作表示部７が現れる。制御ユニット操作表示部６の位相とラック操作表示部７の位相は
９０°異なる。使用者が制御ユニット操作部に触れられる操作部用窓９がラック操作表示
部７に設けられている。第２脚部３２のボルト貫挿用穴は、図１及び図２では２段階の高
さに設けられているが、３段階以上の高さに設けられ得る。
【００１２】
上記されるとおり、本実施形態の複合システム１が備えるラック３の高さは調整可能で
あり、本実施形態の複合システム１が備える制御ユニット５は９０°異なる向きで配置可
能であるから、本実施形態の複合システム１を構成するスキャナユニット２、プリンタユ
ニット４及び制御ユニット５のレイアウトの自由度が大きい。更に、制御ユニット操作部
６が、制御ユニット５の向きに応じて、使用者に認識されやすく表示されるから、使用者
は本実施形態の複合システム１を操作しやすく、使用者の誤使用が防止される。
【００１３】
図３は、本発明の複合システム１の図２における状態の背面斜視図である。ケーブル接
続用開口部１１がラック３の背面及び側面にわたって設けられており、使用者は、スキャ
ナユニット２、プリンタユニット４及び制御ユニット５を接続するケーブルを、ラック３
の背面に向かわず、ラック３の側面から目視されるから、使用者は容易に接続できる。
【００１４】
図４（ａ）及び（ｂ）は、本発明の複合システム１の更に別の実施形態を示す正面図で
ある。図４（ｂ）では、プリンタユニット４の給紙カセット４１及び４２がプリンタユニ
ット４の下部に増設され、床面からラックの支持部３３の下面までの距離Ｙ’が、図４（
ａ）の状態における床面からラックの支持部３３の下面までの距離Ｙより大きくされる（
Ｙ’＞Ｙ）必要がある。そこで、ラック３の脚部の下端は第３脚部３４が高さ調整可能に
設けられている。つまり、第３脚部３４には、ねじ部が形成されて上下方向に移動可能に
配置されている。制御ユニット５は、図４（ａ）で示される配置から９０°異なる向きで
プリンタユニット４の横の図４（ｂ）に点線で示される位置に配置されている。距離Ｙ’
は制御ユニット５の高さＸより大きい（Ｙ’＞Ｘ）。制御ユニット操作表示部６の位相と
ラック操作表示部７の位相は９０°異なる。使用者が制御ユニット操作部に触れられる操
作部用窓９がラック操作表示部７に設けられている。第３脚部３４に形成されるねじ部に
より、ラック３の高さは、無断階に調整される。図４（ａ）の状態におけるラック操作表
示部７は、ラベルの貼付または貼付しないとし得るし、操作部用窓９に窓を塞ぐ目隠し部
材を設け得る。これにより、図４（ａ）の状態において、使用者は制御ユニット操作表示
部６とラック操作表示部７を誤認することがない。
【００１５】
本発明の複合システム１が備えるラックの高さは、図１〜３ではラックのボルト貫挿用
穴に貫挿されるボルトの貫挿位置で調整され、図４（ａ）及び（ｂ）ではラック３の脚部
の下端にもうけられる第３脚部３４のねじ部で調整されているが、他の高さ調整手段、例
えば、バネにより調整され得る。
【００１６】
図５は、本実施形態の複合システム１の回路図である。インレット（コンセント差し込
み口）が制御ユニット５に設けられており、電力が本実施形態の複合システム１の外から
供給される。過剰な電力が供給される場合、当該電力はブレーカーにて遮断される。スキ
ャナユニット２、プリンタユニット４、制御ユニット５のそれぞれの制御部は、それぞれ
の記憶部に記録されたプログラムに基づいて、制御を行う。スキャナユニット２及びプリ
ンタユニット５は、ケーブルで制御ユニット５に電気的に接続されている。供給された電
力は、ブレーカーの下流でプリンタユニット４及び制御ユニット５の電源に供給され、必
要な電圧に変換される。プリンタユニット４及び制御ユニット５は信号ケーブル及び電源
ケーブルで接続され、スキャナユニット２及び制御ユニット５は、信号線及び電源線がま
とめられた１本のケーブルで接続されている。
【００１７】
本発明の複合システム１が備えるスキャナユニット２は、この複合システム１に使用者
がセットした原稿を読み取るための機能部である。一般的には、スキャナユニット２は、
原稿読み取り面にセットされた原稿を、ラインセンサで読み取り、この読み取った画像に
基づいて画像情報を生成する。プリンタユニット４は、この複合システム１に図示されな
いコンピュータから送信された印刷データを印刷したり、スキャナユニット２で読み取っ
た画像に基づく画像情報を印刷したりする機能部である。一般的には、印刷データや画像
に基づく情報を印刷可能なデータに展開して、レーザープリンタやインクジェットプリン
タなどのプリントエンジンで印刷を行う。更に、制御ユニット５は、ファックス制御機能
、電子メール制御機能、複写制御機能、印字制御機能、サーバ制御機能等の様々な制御機
能を備える。
【図面の簡単な説明】
【００１８】
【図１】本発明の複合システムの１実施形態を示す正面図
【図２】本発明の複合システムの別の実施形態を示す正面図
【図３】本発明の複合システムの別の実施形態を示す背面斜視図
【図４】本発明の複合システムの更に別の実施形態を示す正面図
【図５】本発明の複合システムの１実施形態の制御に関する回路図
【符号の説明】
【００１９】
１…複合システム、２…スキャナユニット、３…ラック、４…プリンタユニット、５…制
御ユニット、６…制御ユニット操作表示部、７…ラック操作表示部
【図１】
2009192972.tif 000003
【図２】
2009192972.tif 000004
【図３】
2009192972.tif 000005
【図４】
2009192972.tif 000006
【図５】
2009192972.tif 000007